(57)【要約】      （修正有）【課題】バッグ本体の奥行き長さに影響されることなく、ファスナーを設けることができ、一方のファスナーを操作する際に、他方のファスナーが邪魔になることはなく、利便性に優れたバッグを提供する。【解決手段】バッグ本体２内に第一収容部と第二部収容部とを形成するとともに、前記第一収容部は、前記バッグ本体の左右側部２５、２６の一方２５に開口され、前記第二部収容部は、前記バッグ本体の左右側部の他方２６に開口され、しかも、各開口部を開閉自在に閉塞するファスナー４、５が設けられ、両方のファスナーには、ストラップ・ハンドル３が連結されている。【選択図】図１
0003148536.tif 000002
【実用新案登録請求の範囲】
【請求項１】
バッグ本体内に第一収容部と第二部収容部とを形成するとともに、前記第一収容部は、前記バッグ本体の左右側部の一方に開口され、前記第二部収容部は、前記バッグ本体の左右側部の他方に開口され、しかも、各開口部を開閉自在に閉塞する開閉手段が設けられ、両方の開閉手段には、ストラップ・ハンドルが連結されていることを特徴とするバッグ。
【請求項２】
前記請求項１に記載のバッグにおいて、前記開閉手段がファスナーからなり、少なくとも一方のファスナーのスライダーが、前記ストラップ・ハンドルの端部に連結手段を介して着脱自在に連結されていることを特徴とするバッグ。
【請求項３】
前記請求項２に記載のバッグにおいて、前記ファスナーは、それぞれの前記スライダーを同じ方向に向けてスライドさせることにより、前記各開口部を閉塞することを特徴とするバッグ。
【請求項４】
前記請求項３に記載のバッグにおいて、前記ストラップ・ハンドルは被係止部材に係止自在に設けられ、前記ファスナーは、前記スライダーを下方から上方に向けてスライドさせることにより、前記各開口部を閉塞することを特徴とするバッグ。
【請求項５】
前記請求項１〜４の何れか一つに記載のバッグにおいて、前記第一収容部と第二部収容部とは、重なり合うように設けられていることを特徴とするバッグ。
【考案の詳細な説明】
【技術分野】
【０００１】
本考案は、バッグに係り、特に、小物を収納して携行するのに最適な小型のバッグに関する。
【背景技術】
【０００２】
バッグは、身の周りの物を収納して携行するための用具であるが、一般的には革、合成皮革，厚地の布などの素材から作られている。バッグとしては、例えば、手提カバン、ボストンバック、スーツケース、ショルダーバック、セカンドバック、ポーチ、ハンドバック等の多種多様にわたっている。
【０００３】
最近では、ポーチ類等の小型のバッグを単に単純な小物入れとしてではなく、ファッションアイテムとして所持したり携行したりすることが、若者を中心に流行している。
【０００４】
このような小型のバッグとしては、バッグ本体に複数の収容部（ポケット）が区画形成されており、各収容部の開口はファスナーで開閉自在に設けられているもの公知である（例えば、特許文献１参照）。
【特許文献１】実用新案登録第３０６０５０９号公報
【考案の開示】
【考案が解決しようとする課題】
【０００５】
しかしながら、前記特許文献１に記載のバッグは、各収容部の開口がバッグ本体の同じ面に設けられている。すなわち、バッグ本体の一方の側面部から上面部を経て他方の側面部にかけて２条のファスナーが平行に設けられている。
【０００６】
従って、バッグ本体を薄型に形成する場合には、２条のファスナーを縫製する分のマチ（奥行き長さ）が必要となり、デザイン上に問題があった。また、２条のファスナーが平行して設けられているため、互いのファスナーが接近していると、一方のファスナーを操作する際に、他方のファスナーが邪魔になるおそれがある。
【０００７】
また、このような小型のバッグは、単独で携帯する場合と、比較的大きな手提げ鞄、トートバッグやスーツケースとともに携帯する場合とがある。このように、小型のバッグを比較的大きなバッグ等とともに携帯する場合には、この小型のバッグを、大きなバッグ等の所望部分に係止して吊り下げておくのが便利である。
【０００８】
本考案は、上記問題点を解決するためになされたもので、バッグ本体の奥行き長さに影響されることなく、ファスナーを設けることができ、一方のファスナーを操作する際に、他方のファスナーが邪魔になることはなく、利便性に優れたバッグを提供することを課題とする。
【課題を解決するための手段】
【０００９】
本考案は、上述の問題点に鑑み創案されたもので、バッグ本体内に第一収容部と第二部収容部とを形成するとともに、前記第一収容部は、前記バッグ本体の左右側部の一方に開口され、前記第二部収容部は、前記バッグ本体の左右側部の他方に開口され、しかも、各開口部を開閉自在に閉塞する開閉手段が設けられ、両方の開閉手段には、ストラップ・ハンドルが連結されていることにある。
【００１０】
前記バッグは、バッグ本体側部の一方の開閉手段を操作して、一方の開口部を開口させる。そして、例えばキャッシュカード、パスポート、運転免許証等の収容物を第一収納部に収容する。その後に、開閉手段を閉じる方向に操作する。
【００１１】
また、バッグ本体側部の他方の開閉手段を操作して、他方の開口部を開口させて、例えば、ハンカチ、ティッシュ、医薬品、筆記具等の前記第一収納部に収容した収容物とは使用目的等が相違する収容物を第二収納部Ｂに収容する。その後に、開閉手段を閉じる方向に操作する。
【００１２】
このように、一方の開閉手段を操作する際に、他方の開閉手段が邪魔になることはなく、収容物をバッグへ容易に収容できる。
【００１３】
前記バッグにおいて、前記開閉手段がファスナーからなり、少なくとも一方のファスナーのスライダーが、前記ストラップ・ハンドルの端部に連結手段を介して着脱自在に連結されているのが好ましい。
【００１４】
前記バッグにおいて、前記ファスナーは、それぞれの前記スライダーを同じ方向に向けてスライドさせることにより、前記各開口部を閉塞するのが好ましい。
【００１５】
前記バッグにおいて、前記ストラップ・ハンドルは被係止部材に係止自在に設けられ、前記ファスナーは、前記スライダーを下方から上方に向けてスライドさせることにより、前記各開口部を閉塞するのが好ましい。なお、バッグの上下方向とは、ストラップ・ハンドルをハンドバッグ等のハンドル（把手）に係止してバッグを吊り下げた際の上下方向をいう。
【００１６】
前記バッグにおいて、前記第一収容部と第二部収容部とは、重なり合うように設けられているのが好ましい。
【考案の効果】
【００１７】
本考案は、それぞれの収容部の開口部をバッグ本体の両側部にそれぞれ設けることにより、バッグ本体の奥行長さに影響されることなく、各開口部を開閉する開閉手段を設けることができる。しかも、開閉手段はそれぞれ別の部分（反対側）に設けられているため、一方の開閉手段を操作する際に、他方の開閉手段が邪魔になることはない。
【００１８】
また、ストラップ・ハンドルを比較的大きなバッグ等に所望位置に係止することができ、携帯に便利である。
【考案を実施するための最良の形態】
【００１９】
本考案の実施の形態について、図面を参照しながら説明する。
図１〜図７は、本考案のバッグの一実施の形態を示す。図１および図２に示す小型のバッグ１は、バッグ本体２と、このバッグ本体２に連結される長尺状のストラップ・ハンドル３とから構成されている。
【００２０】
バッグ本体２は、布製、合成樹脂製あるいは革製等いずれのものであってもよく、前部２１、背部２２、上部２３、底部２４、左右側部２５、２６の略直方体に形成されている。なお、図１において、正面を便宜上前面という。
【００２１】
また、図２および図４に示すように、左右側部２５、２６から底部２４の両側部および上部２３の両側部にわたって開口部２８ａ、２８ｂがそれぞれ形成されている。なお、両方の開口部２８ａ、２８ｂの端部同士が不連続となるように、上部２３および底部２４には、不連続部２３ａ、２４ａがそれぞれ設けられている。
【００２２】
そして、各開口部２８ａ、２８ｂに沿って開閉手段としてのファスナー４、５が設けられ、このファスナー４、５の摘み部（スライダー）４１、５１をそれぞれ操作して、開口部２８ａ、２８ｂをそれぞれ開閉することができる。
【００２３】
スライダー４１、５１を上方に移動させた場合に、各開口部２８ａ、２８ｂを閉じることができ、反対にスライダー４１、５１を下方に移動させた場合に、各開口部２８ａ、２８ｂを開放することができる。すなわち、両方のスライダー４１、５１を同じ方向に移動させることにより、各開口部２８ａ、２８ｂを開閉することができる。
【００２４】
また、それぞれの開口部２８ａ、２８ｂを出し入れ口となるように、一対の袋状の収容部２９ａ、２９ｂが、バッグ本体２内にそれぞれ設けられている。すなわち、各収容部２９ａ、２９ｂの開口縁がファスナー４、５に沿ってそれぞれ縫製され、バッグ本体２内には、収容部２９ａからなる第一収納部Ａと、収容部２９ｂからなる第二収納部Ｂとがバッグ本体２の前後に重なり合うように設けられていることになる。そして、第一収納部Ａは、一方の左側部２５に開口し、第二収納部Ｂは、他方の右側部２６に開口している。
【００２５】
各ファスナー４、５のスライダー４１、５１には、短いストラップ４３、５３がそれぞれ連結されている。そして、両方のストラップ４３、５３と、前記ストラップ・ハンドル３の両端部３ａ、３ｂとは、連結部材３１、３１を介して着脱自在に連結されている。連結部材３１、３１としては、図３に示すように、ストラップ・ハンドル３の両端部３ａ、３ｂに設けられた雄型バックル（雄型係止部）３１ａと、ストラップ４３、５３の先端に設けられた雌型バックル（雌型係止部）３１ｂとからなる。
【００２６】
そして、雄型バックル３１ａと雌型バックル３１ｂとがワンタッチにより係脱可能に取り付けられている。なお、連結部材３１、３１は、雄型バックル３１ａと雌型バックル３１ｂに限定されるものではなく、係止フックやホック等であってもよい。
【００２７】
次に、以上の構成からなる本実施形態のバッグの作用、効果について説明する。
【００２８】
先ず、一方のファスナー４のスライダー４１を操作して、開口部２８ａを開口させる（図４（ａ）および（ｂ）参照）。そして、例えばキャッシュカード、パスポート、運転免許証等の収容物Ｓ１を第一収納部Ａに収容する。その後に、ファスナー４のスライド４１を閉じる方向に操作する。
【００２９】
また、他方のファスナー５のスライダー５１を操作して、開口部２８ｂを開口させて、例えば、ハンカチ、ティッシュ、医薬品、筆記具等の前記第一収納部Ａに収容した収容物Ｓ１とは使用目的等が相違する収容物Ｓ２を第二収納部Ｂに収容する（図４（ｃ）参照）。その後に、ファスナー５を閉じる。
【００３０】
以上のように、使用者は、何れかのファスナー４，５を適宜操作して所望する側の収容部Ａ、Ｂに収容物Ｓ１、Ｓ２を収納することができる。ファスナー４、５は、バッグ本体２の両側に別々に設けられているため、一方のファスナー４を操作する際に、他方のファスナー５が邪魔になることはない。
【００３１】
なお、開口部２８ａ、２８ｂの開閉に際しては、各ファスナー４，５を別々に操作することができることは無論であり、ストラップ・ハンドル３を把持してスライダー４１、５１を同時に移動させることも可能である。そして、両方の第一収納部Ａおよび第二収納部Ｂに同時に収容物Ｓ１、Ｓ２をそれぞれ収納することもできる（図５参照）。
【００３２】
また、図６に示すように、本考案の小型のバッグ１は、そのストラップ・ハンドル３を比較的大きなバッグ（被係止部材）ＸのハンドルＸ１に係止して携帯することができる。かかるバッグ１は吊り下げられた状態となるが、両方のファスナー４、５は、スライダー４１、５１を上方へ移動させることにより、各開口部２８ａ、２８ｂをそれぞれ閉じる構成である。この結果、スライダー４１、５１を上方に維持させておくことができ、開口部２８ａ、２８ｂが不用意に開放してしまうおそれはない。
【００３３】
また。図７に示すように、スーツケースＳの伸縮するハンドル部Ｓａに係止して使用することもでき、被係止部材は特に限定されるものではない。
【００３４】
本考案は、前記実施の形態に限定されるものではない。例えば、図８に示すように、バッグ本体２内は、隔壁２７により第一収納部Ａと第二収納部Ｂとの二層に区画することもできる。すなわち、隔壁２７の左右方向の一辺２７ａは、左側部２５における開口部２８ａより前側に接続（縫製）されている。また、隔壁２７の他辺２７ｂは、右側部２６における開口部２８ｂより後側に接続されている。このように、隔壁２７の両辺を開口部２８ａ、２８ｂの前側または後側に位置させることにより、バッグ本体２内を第一収納部Ａと第二収納部Ｂとの二層に区画することができる。しかも、一方の開口部２８ａは第一収納部Ａの出し入れ口となり、他方の開口部２８ｂは第二収納部Ｂの出し入れ口となる。
【００３５】
本考案は、図９に示すように、一方のファスナー４のスライダー４１のみが、ストラップ・ハンドル３の端部３ａに連結部材３１を介して着脱自在に連結されているものであってもよい。すなわち、ストラップ・ハンドル３の端部３ａに設けられた雄型バックル３１ａと、ストラップ４３の先端に設けられた雌型バックル３１ｂとが、係脱可能に取り付けられている。また、ストラップ・ハンドル３の端部３ｂは、他方のファスナー５のスライダー５１に直接連結されている。
【００３６】
なお、他方のファスナー５のスライダー５１のみが、ストラップ・ハンドル３の端部３ｂに連結部材３１を介して着脱自在に連結されているものであってもよく、少なくともストラップ・ハンドル３の両端部３ａ、３ｂの一方が、連結部材３１を介してバッグ本体２側に着脱自在に連結されておればよい。
【００３７】
また、バッグ本体２は、左右側部（マチ）２５、２６長さが小さいか、あるいはほとんどないのものであっても、前部２１および背部２２の両側にファスナー４、５を設けることが可能である。このように、バッグ本体２のマチは任意に設定可能であり、デザイン性も向上できる。
【図面の簡単な説明】
【００３８】
【図１】本考案の一実施の形態に係るバッグの斜視図である。
【図２】同バッグの開口部を開放した状態の斜視図である。
【図３】同バッグにおけるストラップ・ハンドルを取り外した状態の正面図である。
【図４】（ａ）〜（ｃ）は、バッグの断面平面図である。
【図５】同バッグの両側に収容物を収容する状態を示す正面図である。
【図６】同バッグの使用状態を示す正面図である。
【図７】同バッグの使用状態を示す正面図である。
【図８】本考案の他実施の形態に係り、（ａ）〜（ｃ）は、バッグの断面平面図である。
【図９】本考案の他実施の形態に係るバッグの斜視図である。
【符号の説明】
【００３９】
１          バッグ
２          バッグ本体
３          ストラップ・ハンドル
４          ファスナー（開閉手段）
５          ファスナー（開閉手段）
２１        前部
２２        背部
２３        上部
２４        底部
２５        左側部
２６        右側部
Ａ          第一収納部
Ｂ          第二収納部
Ｓ１        収容物
Ｓ２        収容物
【図１】
0003148536.tif 000003
【図２】
0003148536.tif 000004
【図３】
0003148536.tif 000005
【図４】
0003148536.tif 000006
【図５】
0003148536.tif 000007
【図６】
0003148536.tif 000008
【図７】
0003148536.tif 000009
【図８】
0003148536.tif 000010
【図９】
0003148536.tif 000011